(57)【要約】  ワイヤレス通信のための方法、装置、およびコンピュータプログラム製品が提供される。装置は、ＵＥでありうる。ＵＥは、受信されたペイロードの基準信号に関連付けられる特性を識別する。受信されたペイロードの基準信号に関連付けられる特性は、基準信号構造および／またはトラフィック対パイロット比を含みうる。ＵＥは、識別された特性に基づいて、ペイロード構造を決定する。次いで、ＵＥは、決定されたペイロード構造に基づいて、受信されたペイロードを復号する。ＵＥは、基準信号に関連付けられる可能な特性と、可能なペイロード構造との間のマッピングを示すマッピング情報を受信しうる。ＵＥは、受信されたマッピング情報にさらに基づいて、ペイロード構造を決定しうる。ＵＥは、ブロードキャストまたはＲＲＣシグナリングを通じてマッピング情報を受信しうる。
2016510539.tif 000002
【特許請求の範囲】
【請求項１】
ワイヤレス通信の方法であって、
受信されたペイロードの基準信号に関連付けられる特性を識別することと、
前記識別された特性に基づいてペイロード構造を決定することと、
前記決定されたペイロード構造に基づいて、前記受信されたペイロードを復号することと
を備える方法。
【請求項２】
基準信号に関連付けられる特性と、ペイロード構造との間のマッピングを示すマッピング情報を受信することをさらに備え、ここにおいて、前記ペイロード構造は、前記受信されたマッピング情報にさらに基づいて決定される、請求項１に記載の方法。
【請求項３】
前記マッピング情報は、ブロードキャストまたは無線リソース制御（ＲＲＣ）シグナリングのうちの１つを通じて受信される、請求項２に記載の方法。
【請求項４】
前記特性は、
前記ペイロードの基準信号構造、
前記ペイロードのトラフィック対パイロット比、または
これらの組み合わせ、
のうちの少なくとも１つを含み、
前記基準信号構造は、
前記ペイロード内の基準信号を搬送するリソース要素の数、
前記ペイロード内の前記基準信号を搬送するリソース要素の位置、
前記ペイロード内の前記基準信号において受信されるシーケンス、
前記ペイロード内の同じプリコーディングを有するバンドルされたリソースブロックペアの数、または
これらの組み合わせ、
のうちの少なくとも１つを含む、請求項１に記載の方法。
【請求項５】
前記ペイロード構造は、
前記ペイロードに関連付けられる変調オーダ、
前記ペイロードに関連付けられるコーディングレート、
前記ペイロードがデータまたは制御情報を含むかどうかに関するインジケーション、
前記ペイロードを搬送する制御チャネルのタイプ、
前記ペイロードを搬送するデータチャネルのタイプ、
前記ペイロードが畳み込み符号化またはターボ符号化されたかどうかに関するインジケーション、
前記ペイロードのトラフィック対パイロット比、
前記ペイロードの送信ランク、
前記ペイロードにおけるコードワードの数、
前記ペイロードがユニキャストまたはマルチキャストであるかどうかに関するインジケーション、
前記ペイロードを送信するために使用される送信アンテナポートの数、
前記ペイロードにおけるデータのために使用されるスクランブリングシーケンス、
前記ペイロードにおける巡回冗長検査（ＣＲＣ）フィールドのために使用されるスクランブリングシーケンス、または
これらの組み合わせ、
のうちの少なくとも１つを含む、請求項１に記載の方法。
【請求項６】
前記受信されたペイロードの前記基準信号に関連付けられる前記特性を前記識別することは、前記ペイロード内の基準信号を搬送するリソース要素の数を決定することを備え、
前記ペイロード構造を前記決定することは、前記ペイロード内の前記基準信号を搬送する前記リソース要素の前記決定された数に基づいて、前記ペイロードに関連付けられる変調オーダまたはコーディングレートのうちの少なくとも１つを決定することを備える、
請求項１に記載の方法。
【請求項７】
前記基準信号は、基準信号を搬送することが知られているリソース要素の第１のセットおよびデータを搬送することが知られているリソース要素の第２のセットにおいて受信される、請求項６に記載の方法。
【請求項８】
前記ペイロード構造を前記決定することは、前記ペイロード内の前記基準信号を搬送する前記リソース要素の前記決定された数に基づいて、前記ペイロードに関連付けられる送信ランクを決定することをさらに備える、請求項６に記載の方法。
【請求項９】
前記受信されたペイロードの前記基準信号に関連付けられる前記特性を前記識別することは、前記ペイロードのトラフィック対パイロット比を決定することを備え、
前記ペイロード構造を前記決定することは、
前記決定されたトラフィック対パイロット比に基づいて、
変調オーダ、
コーディングレート、
コードワードの数、
前記ペイロードに関連付けられる送信ランク、または
これらの組み合わせ、
のうちの少なくとも１つを決定することを備える、請求項１に記載の方法。
【請求項１０】
前記受信されたペイロードの前記基準信号に関連付けられる前記特性を前記識別することは、同じプリコーディングを有するバンドルされたリソースブロックペアの数を決定することを備え、
前記ペイロード構造を前記決定することは、前記同じプリコーディングを有するバンドルされたリソースブロックペアの前記決定された数に基づいて、変調オーダまたはコーディングレートのうちの少なくとも１つを決定することを備える、
請求項１に記載の方法。
【請求項１１】
前記特性は、前記ペイロードの基準信号構造を含み、前記ペイロード構造を前記決定することは、変調オーダを決定することを備え、前記方法は、
前記決定された変調オーダに基づいてトラフィック対パイロット比を決定することと、
前記決定されたトラフィック対パイロット比に基づいてチャネル状態情報を決定することと、
サービング発展型ノードＢ（ｅＮＢ）に前記決定されたチャネル状態情報を送ることと
をさらに備える、請求項１に記載の方法。
【請求項１２】
ワイヤレス通信のための装置であって、
受信されたペイロードの基準信号に関連付けられる特性を識別するための手段と、
前記識別された特性に基づいてペイロード構造を決定するための手段と、
前記決定されたペイロード構造に基づいて、前記受信されたペイロードを復号するための手段と
を備える装置。
【請求項１３】
基準信号に関連付けられる特性と、ペイロード構造との間のマッピングを示すマッピング情報を受信するための手段をさらに備え、ここにおいて、前記ペイロード構造は、前記受信されたマッピング情報にさらに基づいて決定される、請求項１２に記載の装置。
【請求項１４】
前記マッピング情報は、ブロードキャストまたは無線リソース制御（ＲＲＣ）シグナリングのうちの１つを通じて受信される、請求項１３に記載の装置。
【請求項１５】
前記特性は、
前記ペイロードの基準信号構造、
前記ペイロードのトラフィック対パイロット比、または
これらの組み合わせ、
のうちの少なくとも１つを含み、
前記基準信号構造は、
前記ペイロード内の基準信号を搬送するリソース要素の数、
前記ペイロード内の前記基準信号を搬送するリソース要素の位置、
前記ペイロード内の前記基準信号において受信されるシーケンス、
前記ペイロード内の同じプリコーディングを有するバンドルされたリソースブロックペアの数、または
これらの組み合わせ、
のうちの少なくとも１つを含む、請求項１２に記載の装置。
【請求項１６】
前記ペイロード構造は、
前記ペイロードに関連付けられる変調オーダ、
前記ペイロードに関連付けられるコーディングレート、
前記ペイロードがデータまたは制御情報を含むかどうかに関するインジケーション、
前記ペイロードを搬送する制御チャネルのタイプ、
前記ペイロードを搬送するデータチャネルのタイプ、
前記ペイロードが畳み込み符号化またはターボ符号化されたかどうかに関するインジケーション、
前記ペイロードのトラフィック対パイロット比、
前記ペイロードの送信ランク、
前記ペイロードにおけるコードワードの数、
前記ペイロードがユニキャストまたはマルチキャストであるかどうかに関するインジケーション、
前記ペイロードを送信するために使用される送信アンテナポートの数、
前記ペイロードにおけるデータのために使用されるスクランブリングシーケンス、
前記ペイロードにおける巡回冗長検査（ＣＲＣ）フィールドのために使用されるスクランブリングシーケンス、または
これらの組み合わせ、
のうちの少なくとも１つを含む、請求項１２に記載の装置。
【請求項１７】
前記受信されたペイロードの前記基準信号に関連付けられる前記特性を識別するための前記手段は、前記ペイロード内の基準信号を搬送するリソース要素の数を決定するように構成され、
前記ペイロード構造を決定するための前記手段は、前記ペイロード内の前記基準信号を搬送する前記リソース要素の前記決定された数に基づいて、前記ペイロードに関連付けられる変調オーダまたはコーディングレートのうちの少なくとも１つを決定するように構成される、
請求項１２に記載の装置。
【請求項１８】
前記基準信号は、基準信号を搬送することが知られているリソース要素の第１のセットおよびデータを搬送することが知られているリソース要素の第２のセットにおいて受信される、請求項１７に記載の装置。
【請求項１９】
前記ペイロード構造を決定するための前記手段は、前記ペイロード内の前記基準信号を搬送する前記リソース要素の前記決定された数に基づいて、前記ペイロードに関連付けられる送信ランクを決定するように構成される、請求項１７に記載の装置。
【請求項２０】
前記受信されたペイロードの前記基準信号に関連付けられる前記特性を識別するための前記手段は、前記ペイロードのトラフィック対パイロット比を決定するように構成され、
前記ペイロード構造を決定するための前記手段は、
前記決定されたトラフィック対パイロット比に基づいて、
変調オーダ、
コーディングレート、
コードワードの数、
前記ペイロードに関連付けられる送信ランク、または
これらの組み合わせ、
のうちの少なくとも１つを決定するように構成される、請求項１２に記載の装置。
【請求項２１】
前記受信されたペイロードの前記基準信号に関連付けられる前記特性を識別するための前記手段は、同じプリコーディングを有するバンドルされたリソースブロックペアの数を決定するように構成され、
前記ペイロード構造を決定するための前記手段は、前記同じプリコーディングを有するバンドルされたリソースブロックペアの前記決定された数に基づいて、変調オーダまたはコーディングレートのうちの少なくとも１つを決定するように構成される、
請求項１２に記載の装置。
【請求項２２】
前記特性は、前記ペイロードの基準信号構造を含み、前記ペイロード構造を決定するための前記手段は、変調オーダを決定するように構成され、前記装置は、
前記決定された変調オーダに基づいてトラフィック対パイロット比を決定するための手段と、
前記決定されたトラフィック対パイロット比に基づいてチャネル状態情報を決定するための手段と、
サービング発展型ノードＢ（ｅＮＢ）に前記決定されたチャネル状態情報を送るための手段と
をさらに備える、請求項１２に記載の装置。
【請求項２３】
ワイヤレス通信の装置であって、
受信されたペイロードの基準信号に関連付けられる特性を識別し、
前記識別された特性に基づいてペイロード構造を決定し、
前記決定されたペイロード構造に基づいて、前記受信されたペイロードを復号する
ように構成された処理システム、
を備える装置。
【請求項２４】
前記処理システムは、基準信号に関連付けられる特性と、ペイロード構造との間のマッピングを示すマッピング情報を受信するようにさらに構成され、ここにおいて、前記ペイロード構造は、前記受信されたマッピング情報にさらに基づいて決定される、請求項２３に記載の装置。
【請求項２５】
前記特性は、
前記ペイロードの基準信号構造、
前記ペイロードのトラフィック対パイロット比、または
これらの組み合わせ、
のうちの少なくとも１つを含み、
前記基準信号構造は、
前記ペイロード内の基準信号を搬送するリソース要素の数、
前記ペイロード内の前記基準信号を搬送するリソース要素の位置、
前記ペイロード内の前記基準信号において受信されるシーケンス、
前記ペイロード内の同じプリコーディングを有するバンドルされたリソースブロックペアの数、または
これらの組み合わせ、
のうちの少なくとも１つを含む、請求項２３に記載の装置。
【請求項２６】
前記ペイロード構造は、
前記ペイロードに関連付けられる変調オーダ、
前記ペイロードに関連付けられるコーディングレート、
前記ペイロードがデータまたは制御情報を含むかどうかに関するインジケーション、
前記ペイロードを搬送する制御チャネルのタイプ、
前記ペイロードを搬送するデータチャネルのタイプ、
前記ペイロードが畳み込み符号化またはターボ符号化されたかどうかに関するインジケーション、
前記ペイロードのトラフィック対パイロット比、
前記ペイロードの送信ランク、
前記ペイロードにおけるコードワードの数、
前記ペイロードがユニキャストまたはマルチキャストであるかどうかに関するインジケーション、
前記ペイロードを送信するために使用される送信アンテナポートの数、
前記ペイロードにおけるデータのために使用されるスクランブリングシーケンス、
前記ペイロードにおける巡回冗長検査（ＣＲＣ）フィールドのために使用されるスクランブリングシーケンス、または
これらの組み合わせ、
のうちの少なくとも１つを含む、請求項２３に記載の装置。
【請求項２７】
前記処理システムは、前記ペイロード内の基準信号を搬送するリソース要素の数を決定することによって、前記受信されたペイロードの前記基準信号に関連付けられる前記特性を識別するように構成され、
前記処理システムは、前記ペイロード内の前記基準信号を搬送する前記リソース要素の前記決定された数に基づいて、前記ペイロードに関連付けられる変調オーダまたはコーディングレートのうちの少なくとも１つを決定することによって、前記ペイロード構造を決定するように構成される、
請求項２３に記載の装置。
【請求項２８】
前記処理システムは、前記ペイロードのトラフィック対パイロット比を決定することによって、前記受信されたペイロードの前記基準信号に関連付けられる前記特性を識別するように構成され、
前記処理システムは、
前記決定されたトラフィック対パイロット比に基づいて、
変調オーダ、
コーディングレート、
コードワードの数、
前記ペイロードに関連付けられる送信ランク、または
これらの組み合わせ、
のうちの少なくとも１つを決定することによって、前記ペイロード構造を決定するように構成される、請求項２３に記載の装置。
【請求項２９】
前記処理システムは、同じプリコーディングを有するバンドルされたリソースブロックペアの数を決定することによって、前記受信されたペイロードの前記基準信号に関連付けられる前記特性を識別するように構成され、
前記処理システムは、前記同じプリコーディングを有するバンドルされたリソースブロックペアの前記決定された数に基づいて、変調オーダまたはコーディングレートのうちの少なくとも１つを決定することによって、前記ペイロード構造を決定するように構成される、
請求項２３に記載の装置。
【請求項３０】
受信されたペイロードの基準信号に関連付けられる特性を識別することと、
前記識別された特性に基づいてペイロード構造を決定することと、
前記決定されたペイロード構造に基づいて、前記受信されたペイロードを復号することと
を行うためのコードを備えるコンピュータ可読媒体、
を備えるコンピュータプログラム製品。
【発明の詳細な説明】
【関連出願の相互参照】
【０００１】
[0001]本国際出願は、その全体が参照により本明細書に明確に組み込まれる、２０１３年１月１４日に出願された「高次変調の送信および処理（TRANSMISSION AND PROCESSING OF HIGHER ORDER MODULATION）」と題する米国仮特許出願第６１／７５２，２１０号、および２０１４年１月１０日に出願された「高次変調の送信および処理（TRANSMISSION AND PROCESSING OF HIGHER ORDR MODULATION）」と題する米国非仮特許出願第１４／１５２，８２０号の利益を主張する。
【技術分野】
【０００２】
[0002]本開示は、一般に通信システムに関し、より詳細には、高次（higher order）変調の送信および処理に関する。具体的には、本開示は、ペイロード中の基準信号に関連付けられる特性（properties）を通じて、ＵＥにペイロードのペイロード構造をシグナリングすることに関する。
【背景技術】
【０００３】
[0003]ワイヤレス通信システムは、電話通信、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を用いうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが都市、国家、地域、さらには地球規模で通信することを可能にする共通プロトコルを提供するために、様々な電気通信規格において採用されてきた。新興の電気通信規格の例が、ロングタームエボリューション（ＬＴＥ）である。ＬＴＥは、第３世代パートナーシッププロジェクト（３ＧＰＰ）によって発表されたユニバーサルモバイル電気通信システム（ＵＭＴＳ）のモバイル規格の拡張セットである。ＬＴＥは、スペクトル効率を改善すること、コストを下げること、サービスを改善すること、新たなスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して、他のオープン規格とより良く統合することによって、モバイルブロードバンドインターネットアクセスをより良くサポートするように設計される。しかしながら、モバイルブロードバンドアクセスに対する需要が増大し続けるにつれて、ＬＴＥ技術における更なる改良の必要性が存在する。望ましくは、これらの改良は、これらの技術を用いる他の多重アクセス（multi-access）技術および電気通信規格に適用可能であるべきである。
【発明の概要】
【０００５】
[0005]本開示の一態様では、方法、コンピュータプログラム製品、および装置が提供される。装置は、ＵＥでありうる。ＵＥは、受信されたペイロードの基準信号に関連付けられる特性を識別する。受信されたペイロードの基準信号に関連付けられる特性は、基準信号構造および／またはトラフィック対パイロット比を含みうる。加えて、ＵＥは、識別された特性に基づいて、ペイロード構造を決定する。さらに、ＵＥは、決定されたペイロード構造に基づいて、受信されたペイロードを復号する。
【図面の簡単な説明】
【０００６】
【図１】図１は、ネットワークアーキテクチャの例を例示する図である。
【図２】図２は、アクセスネットワークの例を例示する図である。
【図３】図３は、ＬＴＥにおけるＤＬフレーム構造の例を例示する図である。
【図４】図４は、ＬＴＥにおけるＵＬフレーム構造の例を例示する図である。
【図５】図５は、ユーザおよび制御プレーンのための無線プロトコルアーキテクチャの例を例示する図である。
【図６】図６は、アクセスネットワークにおける発展型ノードＢおよびユーザ機器の例を例示する図である。
【図７Ａ】図７Ａは、マルチキャストブロードキャスト単一周波数ネットワークにおける発展型マルチメディアブロードキャストマルチキャストサービスチャネル構成の例を例示する図である。
【図７Ｂ】図７Ｂは、マルチキャストチャネルスケジューリング情報媒体アクセス制御の制御要素のフォーマットを例示する図である。
【図８】図８は、例示的な方法を例示する図である。
【図９】図９は、ワイヤレス通信の第１の方法のフローチャートである。
【図１０】図１０は、ワイヤレス通信の第２の方法のフローチャートである。
【図１１】図１１は、例示的な装置における異なるモジュール／手段／コンポーネント間のデータフローを例示する概念的なデータフロー図である。
【図１２】図１２は、処理システムを用いる装置のためのハードウェアインプリメンテーションの例を例示する図である。
【発明を実施するための形態】
【０００７】
[0019]添付図面に関連して以下に記載される詳細な説明は、様々な構成の説明として意図され、ここに説明される概念が実現されうる唯一の構成を表すようには意図されない。詳細な説明は、様々な概念の完全な理解を提供する目的のために特定の詳細を含む。しかしながら、これらの概念がこれらの特定の詳細なしで実現されうることは、当業者にとって明らかであろう。いくつかの事例では、周知の構造およびコンポーネントが、このような概念を曖昧にすることを避けるために、ブロック図形式で示される。
【０００８】
[0020]ここで、電気通信システムのいくつかの態様が、様々な装置および方法に関連して示される。これらの装置および方法は、以下の詳細な説明において説明され、（「要素」と総称される）様々なブロック、モジュール、コンポーネント、回路、ステップ、プロセス、アルゴリズムなどによって、添付図面において例示される。これらの要素は、電子ハードウェア、コンピュータソフトウェア、またはこれらの任意の組み合わせを使用してインプリメントされうる。このような要素が、ハードウェアとしてインプリメントされるか、あるいはソフトウェアとしてインプリメントされるかは、特定のアプリケーションおよびシステム全体に課せられる設計制約に依存する。
【０００９】
[0021]例として、要素、または要素の任意の部分、または要素の任意の組み合わせは、１つまたは複数のプロセッサを含む「処理システム」を用いてインプリメントされうる。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲートロジック（gated logic）、個別ハードウェア回路、および本開示の全体にわたって説明される様々な機能を実行するように構成された他の適切なハードウェアを含む。処理システムにおける１つまたは複数のプロセッサは、ソフトウェアを実行しうる。ソフトウェアは、ソフトウェア、ファームウェア、ミドルウェア、マイクロコード、ハードウェア記述言語、またはその他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１０】
[0022]したがって、１つまたは複数の例示的な実施形態では、説明される機能は、ハードウェア、ソフトウェア、ファームウェア、またはこれらの任意の組み合わせでインプリメントされうる。ソフトウェアでインプリメントされる場合、これら機能は、コンピュータ可読媒体上で、１つまたは複数の命令またはコードとして記憶または符号化されうる。コンピュータ可読媒体は、コンピュータ記憶媒体を含む。記憶媒体は、コンピュータによってアクセスされうる任意の利用可能な媒体でありうる。限定ではなく例として、このようなコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスク記憶装置、磁気ディスク記憶装置またはその他の磁気記憶デバイス、あるいは、データ構造または命令の形式で所望のプログラムコードを搬送または記憶するために使用可能であり、かつコンピュータによってアクセスされうるその他任意の媒体を備えうる。上記の組み合わせもまた、コンピュータ可読媒体の範囲内に含まれるべきである。
【００１１】
[0023]図１は、ＬＴＥネットワークアーキテクチャ１００を例示する図である。ＬＴＥネットワークアーキテクチャ１００は、発展型パケットシステム（ＥＰＳ：Evolved Packet System）１００と称されうる。ＥＰＳ １００は、１つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、およびオペレータのインターネットプロトコル（ＩＰ）サービス１２２を含みうる。ＥＰＳは、他のアクセスネットワークと相互接続しうるが、簡潔さのために、それらのエンティティ／インタフェースは示されていない。示されるように、ＥＰＳは、パケット交換サービスを提供する、しかしながら、当業者が容易に理解するであろうように、本開示の全体にわたって示される様々な概念は、回線交換サービスを提供するネットワークに拡張されうる。
【００１２】
[0024]Ｅ−ＵＴＲＡＮは、発展型ノードＢ（ｅＮＢ）１０６および他のｅＮＢ １０８を含み、マルチキャスト協調エンティティ（ＭＣＥ：Multicast Coordination Entity）１２８を含みうる。ｅＮＢ １０６は、ＵＥ １０２に対してユーザおよび制御プレーンプロトコル終端（terminations）を提供する。ｅＮＢ １０６は、バックホール（例えば、Ｘ２インタフェース）を介して、他のｅＮＢ １０８に接続されうる。ＭＣＥ １２８は、発展型マルチメディアブロードキャストマルチキャストサービス（ＭＢＭＳ）（ｅＭＢＭＳ）についての時間／周波数無線リソースを割り振り、ｅＭＢＭＳのための無線構成（例えば、変調およびコーディングスキーム（ＭＣＳ））を決定する。ＭＣＥ １２８は、別個のエンティティまたはｅＮＢ １０６の一部でありうる。ｅＮＢ １０６はまた、基地局、ノードＢ、アクセスポイント、ベーストランシーバ基地局、無線基地局、無線トランシーバ、トランシーバ機能、基本サービスセット（ＢＳＳ）、拡張サービスセット（ＥＳＳ）、または何らかの他の適切な用語で呼ばれうる。ｅＮＢ １０６は、ＵＥ １０２のためにＥＰＣ １１０へのアクセスポイントを提供する。ＵＥ １０２の例は、セルラ電話、スマートフォン、セッション開始プロトコル（ＳＩＰ）電話、ラップトップ、携帯情報端末（ＰＤＡ）、衛星無線機（satellite radio）、全地球測位システム、マルチメディアデバイス、ビデオデバイス、デジタルオーディオプレーヤ（例えば、ＭＰ３プレーヤ）、カメラ、ゲーム機、タブレット、またはその他任意の同様に機能するデバイスを含む。ＵＥ １０２はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適切な用語で呼ばれうる。
【００１３】
[0025]ｅＮＢ １０６は、ＥＰＣ １１０に接続される。ＥＰＣ １１０は、モビリティ管理エンティティ（ＭＭＥ）１１２、ホーム加入者サーバ（ＨＳＳ）１２０、他のＭＭＥ １１４、サービングゲートウェイ１１６、マルチメディアブロードキャストマルチキャストサービス（ＭＢＭＳ）ゲートウェイ１２４、ブロードキャストマルチキャストサービスセンタ（ＢＭ−ＳＣ）１２６、およびパケットデータネットワーク（ＰＤＮ）ゲートウェイ１１８を含みうる。ＭＭＥ １１２は、ＵＥ １０２とＥＰＣ １１０の間のシグナリングを処理する制御ノードである。一般に、ＭＭＥ １１２は、ベアラおよび接続管理を提供する。すべてのユーザＩＰパケットは、それ自体がＰＤＮゲートウェイ１１８に接続されるサービングゲートウェイ１１６を通じて転送される。ＰＤＮゲートウェイ１１８は、ＵＥ ＩＰアドレス割り振りのみならず、その他の機能も提供する。ＰＤＮゲートウェイ１１８およびＢＭ−ＳＣ １２６は、ＩＰサービス１２２に接続される。ＩＰサービス１２２は、インターネット、イントラネット、ＩＰマルチメディアサブシステム（ＩＭＳ）、ＰＳストリーミングサービス（ＰＳＳ）、および／またはその他のＩＰサービスを含みうる。ＢＭ−ＳＣ １２６は、ＭＢＭＳユーザサービスプロビジョニングおよび配信のための機能を提供しうる。ＢＭ−ＳＣ １２６は、コンテンツプロバイダＭＢＭＳ送信のためのエントリポイントとしての役目を果たし、ＰＬＭＮ内のＭＢＭＳベアラサービスを認可および開始するために使用され、ＭＢＭＳ送信をスケジュールおよび配信するために使用されうる。ＭＢＭＳゲートウェイ１２４は、特定のサービスをブロードキャストするマルチキャストブロードキャスト単一周波数ネットワーク（ＭＢＳＦＮ）エリアに属するｅＮＢ（例えば、１０６、１０８）にＭＢＭＳトラフィックを分配するために使用され、セッション管理（開始／停止）およびｅＭＢＭＳ関連課金情報を集めることを担いうる。
【００１４】
[0026]図２は、ＬＴＥネットワークアーキテクチャにおけるアクセスネットワーク２００の例を例示する図である。この例では、アクセスネットワーク２００は、多数のセルラ領域（セル）２０２に分割されている。１つまたは複数のより低い電力クラスのｅＮＢ ２０８は、セル２０２のうちの１つまたは複数とオーバーラップするセルラ領域２１０を有しうる。より低い電力クラスのｅＮＢ ２０８は、フェムトセル（例えば、ホームｅＮＢ（ＨｅＮＢ））、ピコセル、マイクロセル、または遠隔無線ヘッド（ＲＲＨ）でありうる。マクロｅＮＢ ２０４は、それぞれのセル２０２にそれぞれ割り当てられ、セル２０２におけるすべてのＵＥ ２０６のためにＥＰＣ １１０へのアクセスポイントを提供するよう構成される。アクセスネットワーク２００のこの例には集中型（centralized）コントローラは存在しないが、代替の構成では、集中型コントローラが使用されうる。ｅＮＢ ２０４は、無線ベアラ制御、アドミッション制御、モビリティ制御、スケジューリング、セキュリティ、およびサービングゲートウェイ１１６への接続性を含む、すべての無線に関連する機能を担う。ｅＮＢは、（セクタとしても称される）１つまたは複数（例えば、３つ）のセルをサポートしうる。「セル」という用語は、特定のカバレッジエリアをサービスしているｅＮＢサブシステムおよび／またはｅＮＢの最小のカバレッジエリアを称しうる。さらに、「ｅＮＢ」、「基地局」、および「セル」という用語は、ここで交換可能に使用されうる。
【００１５】
[0027]アクセスネットワーク２００によって用いられる変調および多元接続スキームは、展開される特定の電気通信規格に依存して異なりうる。ＬＴＥアプリケーションでは、周波数分割複信（ＦＤＤ）および時分割複信（ＴＤＤ）の両方をサポートするために、ＯＦＤＭがＤＬ上で使用され、ＳＣ−ＦＤＭＡがＵＬ上で使用される。以下に続く詳細な説明から当業者が容易に理解するように、ここで示される様々な概念は、ＬＴＥアプリケーションによく適する。しかしながら、これらの概念は、他の変調および多元接続技法を用いる他の電気通信規格に容易に拡張されうる。例として、これらの概念は、エボリューションデータオプティマイズド（ＥＶ−ＤＯ：Evolution-Data Optimized）またはウルトラモバイルブロードバンド（ＵＭＢ）に拡張されうる。ＥＶ−ＤＯおよびＵＭＢは、ＣＤＭＡ２０００規格ファミリの一部として、第３世代パートナーシッププロジェクト２（３ＧＰＰ２）によって公表されたエアインタフェース規格であり、モバイル局にブロードバンドインターネットアクセスを提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形例を用いるユニバーサル地上無線アクセス（ＵＴＲＡ）、ＴＤＭＡを用いるモバイル通信のためのグローバルシステム（ＧＳＭ（登録商標））、およびＯＦＤＭＡを用いるフラッシュＯＦＤＭ、ＩＥＥＥ８０２．２０、ＩＥＥＥ８０２．１６（ＷｉＭＡＸ（登録商標））、ＩＥＥＥ８０２．１１（Ｗｉ−Ｆｉ（登録商標））、および発展型ＵＴＲＡ（Ｅ−ＵＴＲＡ）に拡張されうる。ＵＴＲＡ、Ｅ−ＵＴＲＡ、ＵＭＴＳ、ＬＴＥ、およびＧＳＭは、３ＧＰＰ団体からの文書において説明されている。ＣＤＭＡ２０００およびＵＭＢは、３ＧＰＰ２団体からの文書において説明されている。用いられる実際のワイヤレス通信規格および多元接続技術は、特定のアプリケーションおよびシステムに課せられる全体的な設計制約に依存するであろう。
【００１６】
[0028]ｅＮＢ ２０４は、ＭＩＭＯ技術をサポートする複数のアンテナを有しうる。ＭＩＭＯ技術の使用は、ｅＮＢ ２０４が、空間多重化、ビームフォーミング、および送信ダイバーシティをサポートするために空間領域を活用することを可能にする。空間多重化は、同じ周波数上で同時に異なるデータストリームを送信するために使用されうる。これらデータストリームは、データレートを増大させるために単一のＵＥ ２０６に、または、全システム容量を増大させるために複数のＵＥ ２０６に、送信されうる。これは、各データストリームを空間的にプリコーディングし（すなわち、振幅および位相のスケーリングを適用し）、その後、ＤＬ上で複数の送信アンテナを通じて各空間的にプリコーディングされたストリームを送信することによって達成される。空間的にプリコーディングされたデータストリームは、異なる空間シグネチャとともに（１つまたは複数の）ＵＥ ２０６に到着し、これは、（１つまたは複数の）ＵＥ ２０６の各々が、そのＵＥ ２０６宛ての１つまたは複数のデータストリームを復元することを可能にする。ＵＬ上では、各ＵＥ ２０６は、空間的にプリコーディングされたデータストリームを送信し、これは、ｅＮＢ ２０４が、各空間的にプリコーディングされたデータストリームのソースを識別することを可能にする。
【００１７】
[0029]空間多重化は、一般にチャネル状態が良好なときに使用される。チャネル状態（channel conditions）があまり良好でないときは、１つまたは複数の方向に送信エネルギーを集中させるために、ビームフォーミングが使用されうる。これは、複数のアンテナを通じて送信するためのデータを空間的にプリコーディングすることによって達成されうる。セルのエッジにおいて良好なカバレッジを達成するために、単一ストリームのビームフォーミング送信が、送信ダイバーシティとの組み合わせにおいて使用されうる。
【００１８】
[0030]以下の詳細な説明では、アクセスネットワークの様々な態様が、ＤＬ上でＯＦＤＭをサポートするＭＩＭＯシステムに関連して説明される。ＯＦＤＭは、ＯＦＤＭシンボル内の多数のサブキャリアにわたってデータを変調するスペクトル拡散技法である。これらサブキャリアは、正確な周波数において間隔を隔てられている。この間隔をあけること（spacing）は、受信機がこれらサブキャリアからのデータを復元することを可能にする「直交性」を提供する。時間領域では、ＯＦＤＭシンボル間干渉に対抗するために、各ＯＦＤＭシンボルにガードインターバル（例えば、サイクリックプリフィックス）が追加されうる。ＵＬは、高いピーク対平均電力比（ＰＡＰＲ）を補償するために、ＤＦＴ拡散ＯＦＤＭ信号の形態でＳＣ−ＦＤＭＡを使用しうる。
【００１９】
[0031]図３は、ＬＴＥにおけるＤＬフレーム構造の例を例示する図３００である。フレーム（１０ｍｓ）は、１０個の等しいサイズのサブフレームに分割されうる。各サブフレームは、２つの連続したタイムスロットを含みうる。リソースグリッドは、２つのタイムスロットを表すために使用されることができ、各タイムスロットは、リソースブロックを含む。リソースグリッドは、複数のリソース要素に分割される。ＬＴＥにおいて、通常のサイクリックプリフィックスの場合、リソースブロックは、周波数領域における１２個の連続したサブキャリアと、時間領域における７個の連続したＯＦＤＭシンボルとを含み、合計で８４個のリソース要素となる。拡張されたサイクリックプリフィックスの場合、リソースブロックは、時間領域における６個の連続したＯＦＤＭシンボルを含み、合計で７２個のリソース要素となる。Ｒ ３０２、３０４として示される、リソース要素のうちのいくつかは、ＤＬ基準信号（ＤＬ−ＲＳ）を含む。ＤＬ−ＲＳは、（共通ＲＳと呼ばれることもある）セル固有ＲＳ（ＣＲＳ）３０２およびＵＥ固有ＲＳ（ＵＥ−ＲＳ）３０４を含む。ＵＥ−ＲＳ ３０４は、対応する物理ＤＬ共有チャネル（ＰＤＳＣＨ）がマッピングされるリソースブロック上でのみ送信される。各リソース要素によって搬送されるビット数は、変調スキームに依存する。したがって、ＵＥが受信するリソースブロックが多いほど、および、変調スキームが高度であるほど、ＵＥのためのデータレートはより高くなる。
【００２０】
[0032]図４は、ＬＴＥにおけるＵＬフレーム構造の例を例示する図４００である。ＵＬのために利用可能なリソースブロックは、データセクションと制御セクションとに分割されうる。制御セクションは、システム帯域幅の２つのエッジにおいて形成されることができ、設定可能なサイズを有することができる。制御セクションにおけるリソースブロックは、制御情報の送信のためにＵＥに割り当てられうる。データセクションは、制御セクションに含まれないすべてのリソースブロックを含みうる。ＵＬフレーム構造は、連続したサブキャリアを含むデータセクションをもたらし、これは、単一のＵＥに、データセクションにおけるすべての連続したサブキャリアが割り当てられることを可能にしうる。
【００２１】
[0033]ＵＥは、ｅＮＢに制御情報を送信するために、制御セクションにおけるリソースブロック４１０ａ、４１０ｂを割り当てられうる。ＵＥはまた、ｅＮＢにデータを送信するために、データセクションにおけるリソースブロック４２０ａ、４２０ｂを割り当てられうる。ＵＥは、制御セクションにおける割り当てられたリソースブロック上の物理ＵＬ制御チャネル（ＰＵＣＣＨ）において、制御情報を送信しうる。ＵＥは、データセクションにおける割り当てられたリソースブロック上の物理ＵＬ共有チャネル（ＰＵＳＣＨ）において、データのみ、またはデータと制御情報の両方を送信しうる。ＵＬ送信は、サブフレームの両方のスロットにまたがることができ、周波数にわたってホッピングすることができる。
【００２２】
[0034]リソースブロックのセットは、物理ランダムアクセスチャネル（ＰＲＡＣＨ）４３０において、初期システムアクセスを実行し、ＵＬ同期を達成するために使用されうる。ＰＲＡＣＨ ４３０は、ランダムシーケンスを搬送し、いずれのＵＬデータ／シグナリングも搬送することはできない。各ランダムアクセスプリアンブルは、６個の連続したリソースブロックに対応する帯域幅を占有する。開始周波数は、ネットワークによって指定される。すなわち、ランダムアクセスプリアンブルの送信は、ある特定の時間および周波数リソースに制限される。ＰＲＡＣＨについては周波数ホッピングは存在しない。ＰＲＡＣＨの試みは、単一のサブフレーム（１ ｍｓ）において、または少数の連続したサブフレームのシーケンスにおいて搬送され、ＵＥは、１フレーム（１０ ｍｓ）ごとに単一のＰＲＡＣＨの試みのみを行うことができる。
【００２３】
[0035]図５は、ＬＴＥにおけるユーザおよび制御プレーンのための無線プロトコルアーキテクチャの例を例示する図５００である。ＵＥおよびｅＮＢのための無線プロトコルアーキテクチャは、レイヤ１、レイヤ２、およびレイヤ３の３つのレイヤで示される。レイヤ１（Ｌ１レイヤ）は、最下位のレイヤであり、様々な物理レイヤ信号処理機能をインプリメントする。Ｌ１レイヤは、ここで物理レイヤ５０６と呼ばれる。レイヤ２（Ｌ２レイヤ）５０８は、物理レイヤ５０６より上位にあり、物理レイヤ５０６を介したＵＥとｅＮＢの間のリンクを担う。
【００２４】
[0036]ユーザプレーンにおいて、Ｌ２レイヤ５０８は、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、これらは、ネットワーク側のｅＮＢにおいて終端される。示されていないが、ＵＥは、ネットワーク側のＰＤＮゲートウェイ１１８において終端されるネットワークレイヤ（例えば、ＩＰレイヤ）と、接続の他端（例えば、遠端のＵＥ、サーバなど）において終端されるアプリケーションレイヤとを含む、Ｌ２レイヤ５０８より上位のいくつかの上位レイヤを有しうる。
【００２５】
[0037]ＰＤＣＰサブレイヤ５１４は、異なる無線ベアラと論理チャネルとの間での多重化を提供する。ＰＤＣＰサブレイヤ５１４はまた、無線送信オーバヘッドを低減させるための上位レイヤデータパケットのためのヘッダ圧縮、データパケットを暗号化することによるセキュリティ、およびｅＮＢ間のＵＥのためのハンドオーバサポートを提供する。ＲＬＣサブレイヤ５１２は、上位レイヤデータパケットのセグメント化および再組立て、損失データパケットの再送、およびハイブリッド自動再送要求（ＨＡＲＱ）により順序が乱れた受信を補償するためのデータパケットの並べ替え（reordering）を提供する。ＭＡＣサブレイヤ５１０は、論理チャネルとトランスポートチャネルの間の多重化を提供する。ＭＡＣサブレイヤ５１０はまた、複数のＵＥの間で１つのセルにおける様々な無線リソース（例えば、リソースブロック）を割り振ることを担う。ＭＡＣサブレイヤ５１０はまた、ＨＡＲＱ動作を担う。
【００２６】
[0038]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）における無線リソース制御（ＲＲＣ）サブレイヤ５１６を含む。ＲＲＣサブレイヤ５１６は、無線リソース（例えば、無線ベアラ）を取得することと、ｅＮＢとＵＥの間でＲＲＣシグナリングを使用してより下位のレイヤを構成することとを担う。
【００２７】
[0039]図６は、アクセスネットワークにおいてＵＥ ６５０と通信状態にあるｅＮＢ ６１０のブロック図である。ＤＬでは、コアネットワークからの上位レイヤパケットが、コントローラ／プロセッサ６７５に提供される。コントローラ／プロセッサ６７５は、Ｌ２レイヤの機能をインプリメントする。ＤＬでは、コントローラ／プロセッサ６７５は、様々な優先順位メトリックに基づいて、ＵＥ ６５０への無線リソースの割り振り、論理チャネルとトランスポートチャネルの間の多重化、パケットのセグメント化と並べ替え（reordering）、暗号化、およびヘッダ圧縮を提供する。コントローラ／プロセッサ６７５はまた、ＨＡＲＱ動作、損失パケットの再送、およびＵＥ ６５０へのシグナリングを担う。
【００２８】
[0040]送信（ＴＸ）プロセッサ６１６は、Ｌ１レイヤ（すなわち、物理レイヤ）のための様々な信号処理機能をインプリメントする。信号処理機能は、ＵＥ ６５０における前方誤り訂正（ＦＥＣ）を容易にするようにコーディングおよびインタリーブすることと、様々な変調スキーム（例えば、２相位相シフトキーイング（ＢＰＳＫ）、４相位相シフトキーイング（ＱＰＳＫ）、Ｍ相位相シフトキーイング（Ｍ−ＰＳＫ）、Ｍ値直交振幅変調（Ｍ−ＱＡＭ））に基づいて信号コンステレーションにマッピングすることとを含む。その後、コーディングおよび変調されたシンボルは、並列ストリームに分割される。その後、各ストリームは、ＯＦＤＭサブキャリアにマッピングされ、時間および／または周波数領域において基準信号（例えば、パイロット）と多重化され、その後、逆高速フーリエ変換（ＩＦＦＴ）を使用して共に組み合わされて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、コーディングおよび変調スキームを決定するためのみならず、空間処理のためにも使用されうる。チャネル推定値は、ＵＥ ６５０によって送信されたチャネル状態フィードバックおよび／または基準信号から導出されうる。その後、各空間ストリームは、別個の送信機６１８ＴＸを介して異なるアンテナ６２０に提供されうる。各送信機６１８ＴＸは、送信用のそれぞれの空間ストリームを用いてＲＦキャリアを変調しうる。
【００２９】
[0041]ＵＥ ６５０において、各受信機６５４ＲＸは、そのそれぞれのアンテナ６５２を通じて信号を受信する。各受信機６５４ＲＸは、ＲＦキャリア上に変調された情報を復元し、受信（ＲＸ）プロセッサ６５６にこの情報を提供する。ＲＸプロセッサ６５６は、Ｌ１レイヤの様々な信号処理機能をインプリメントする。ＲＸプロセッサ６５６は、ＵＥ ６５０宛ての任意の空間ストリームを復元するために、この情報に対して空間処理を実行しうる。複数の空間ストリームがＵＥ ６５０宛てである場合、それらは、ＲＸプロセッサ６５６によって単一のＯＦＤＭシンボルストリームに組み合わされうる。その後、ＲＸプロセッサ６５６は、高速フーリエ変換（ＦＦＴ）を使用して、ＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボル、および基準信号は、ｅＮＢ ６１０によって送信された最も有望な（most likely）信号コンステレーションポイントを決定することによって復元および復調される。これらの軟判定は、チャネル推定器６５８によって計算されたチャネル推定値に基づきうる。その後、軟判定は、物理チャネル上でｅＮＢ ６１０によって当初送信されたデータおよび制御信号を復元するために、復号およびデインタリーブされる。その後、データおよび制御信号は、コントローラ／プロセッサ６５９に提供される。
【００３０】
[0042]コントローラ／プロセッサ６５９は、Ｌ２レイヤをインプリメントする。コントローラ／プロセッサは、プログラムコードおよびデータを記憶するメモリ６６０に関連付けられうる。メモリ６６０は、コンピュータ可読媒体と呼ばれうる。ＵＬでは、コントローラ／プロセッサ６５９は、コアネットワークからの上位レイヤパケットを復元するために、トランスポートチャネルと論理チャネルの間の逆多重化、パケットの再組立て、暗号解読（deciphering）、ヘッダ圧縮解除、制御信号処理を提供する。その後、上位レイヤパケットは、データシンク６６２に提供され、それは、Ｌ２レイヤより上位のすべてのプロトコルレイヤを表す。様々な制御信号もまた、Ｌ３処理のためにデータシンク６６２に提供されうる。コントローラ／プロセッサ６５９はまた、ＨＡＲＱ動作をサポートするために、肯定応答（ＡＣＫ）および／または否定応答（ＮＡＣＫ）プロトコルを使用した誤り検出を担う。
【００３１】
[0043]ＵＬでは、データソース６６７が、コントローラ／プロセッサ６５９に上位レイヤパケットを提供するために使用される。データソース６６７は、Ｌ２レイヤより上位のすべてのプロトコルレイヤを表す。ｅＮＢ ６１０によるＤＬ送信に関して説明された機能と同様に、コントローラ／プロセッサ６５９は、ｅＮＢ ６１０による無線リソース割り振りに基づいて、論理チャネルとトランスポートチャネルの間の多重化、パケットセグメント化と並べ替え、暗号化、およびヘッダ圧縮を提供することによって、ユーザプレーンおよび制御プレーンのためのＬ２レイヤをインプリメントする。コントローラ／プロセッサ６５９はまた、ＨＡＲＱ動作、損失パケットの再送、ｅＮＢ ６１０へのシグナリングを担う。
【００３２】
[0044]ｅＮＢ ６１０によって送信されたフィードバックまたは基準信号からチャネル推定器６５８によって導出されたチャネル推定値は、適切なコーディングおよび変調スキームを選択し、空間処理を容易にするために、ＴＸプロセッサ６６８によって使用されうる。ＴＸプロセッサ６６８によって生成された空間ストリームは、別個の送信機６５４ＴＸを介して異なるアンテナ６５２に提供されうる。各送信機６５４ＴＸは、送信用のそれぞれの空間ストリームを用いてＲＦキャリアを変調しうる。
【００３３】
[0045]ＵＬ送信は、ＵＥ ６５０における受信機機能に関して説明されたのと同様の方法でｅＮＢ ６１０において処理される。各受信機６１８ＲＸは、そのそれぞれのアンテナ６２０を通じて信号を受信する。各受信機６１８ＲＸは、ＲＦキャリア上に変調された情報を復元し、ＲＸプロセッサ６７０にこの情報を提供する。ＲＸプロセッサ６７０は、Ｌ１レイヤをインプリメントしうる。
【００３４】
[0046]コントローラ／プロセッサ６７５は、Ｌ２レイヤをインプリメントする。コントローラ／プロセッサ６７５は、プログラムコードおよびデータを記憶するメモリ６７６に関連付けられうる。メモリ６７６は、コンピュータ可読媒体と呼ばれうる。ＵＬでは、コントローラ／プロセッサ６７５は、ＵＥ ６５０からの上位レイヤパケットを復元するために、トランスポートチャネルと論理チャネルの間の逆多重化、パケットの再組立て、暗号解読、ヘッダ圧縮解除、制御信号処理を提供する。コントローラ／プロセッサ６７５からの上位レイヤパケットは、コアネットワークに提供されうる。コントローラ／プロセッサ６７５はまた、ＨＡＲＱ動作をサポートするために、ＡＣＫおよび／またはＮＡＣＫプロトコルを使用した誤り検出を担う。
【００３５】
[0047]図７Ａは、ＭＢＳＦＮにおける発展型ＭＢＭＳ（ｅＭＢＭＳ）チャネル構成の例を例示する図７５０である。セル７５２’ におけるｅＮＢ ７５２は、第１のＭＢＳＦＮエリアを形成することができ、セル７５４’におけるｅＮＢ ７５４は、第２のＭＢＳＦＮエリアを形成することができる。ｅＮＢ ７５２、７５４は、例えば、合計８つのＭＢＳＦＮエリアまで、他のＭＢＳＦＮエリアにそれぞれ関連付けられうる。ＭＢＳＦＮエリア内のセルは、リザーブされたセルに指定されうる。リザーブされたセルは、マルチキャスト／ブロードキャストコンテンツを提供しないが、セル７５２’、７５４’に時間同期され、ＭＢＳＦＮエリアへの干渉を制限するために、ＭＢＳＦＮリソース上の制限された電力を有しうる。ＭＢＳＦＮエリアにおける各ｅＮＢは、同じｅＭＢＭＳ制御情報およびデータを同時に送信する。各エリアは、ブロードキャスト、マルチキャスト、およびユニキャストサービスをサポートしうる。ユニキャストサービスは、例えば、音声コール（voice call）のような、特定のユーザを対象としたサービスある。マルチキャストサービスは、例えば、加入者ビデオサービスのような、ユーザのグループによって受信されうるサービスである。ブロードキャストサービスは、例えば、ニュースブロードキャストのような、すべてのユーザによって受信されうるサービスである。図７Ａを参照すると、第１のＭＢＳＦＮエリアは、ＵＥ ７７０に特定のニュースブロードキャストを提供するなどによって、第１のｅＭＢＭＳブロードキャストサービスをサポートしうる。第２のＭＢＳＦＮエリアは、ＵＥ ７６０に異なるニュースブロードキャストを提供するなどによって、第２のｅＭＢＭＳブロードキャストサービスをサポートしうる。各ＭＢＳＦＮエリアは、複数の物理マルチキャストチャネル（ＰＭＣＨ）（例えば、１５個のＰＭＣＨ）をサポートする。各ＰＭＣＨは、マルチキャストチャネル（ＭＣＨ）に対応する。各ＭＣＨは、複数（例えば、２９個）のマルチキャスト論理チャネルを多重化しうる。各ＭＢＳＦＮエリアは、１つのマルチキャスト制御チャネル（ＭＣＣＨ）を有しうる。したがって、１つのＭＣＨは、１つのＭＣＣＨおよび複数のマルチキャストトラフィックチャネル（ＭＴＣＨ）を多重化することができ、残りのＭＣＨは、複数のＭＴＣＨを多重化することができる。
【００３６】
[0048]ＵＥは、ｅＭＢＭＳサービスアクセスの利用可能性および対応するアクセス層構成を発見するために、ＬＴＥセルにキャンプオン（camp on）しうる。第１のステップでは、ＵＥは、システム情報ブロック（ＳＩＢ）１３（ＳＩＢ１３）を獲得しうる。第２のステップでは、ＳＩＢ１３に基づいて、ＵＥは、ＭＣＣＨ上でＭＢＳＦＮエリア構成メッセージを獲得しうる。第３のステップでは、ＭＢＳＦＮエリア構成メッセージに基づいて、ＵＥは、ＭＣＨスケジューリング情報（ＭＳＩ）ＭＡＣ制御要素を獲得しうる。ＳＩＢ１３は、（１）セルによってサポートされる各ＭＢＳＦＮエリアのＭＢＳＦＮエリア識別子、（２）ＭＣＣＨ繰り返し期間（period）（例えば、３２、６４、…、２５６フレーム）、ＭＣＣＨオフセット（例えば、０、１、…、１０フレーム）、ＭＣＣＨ変更期間（例えば、５１２、１０２４フレーム）、シグナリング変調およびコーディングスキーム（ＭＣＳ）、繰り返し期間およびオフセットによって示されるような無線フレームのどのサブフレームがＭＣＣＨを送信することができるかを示すサブフレーム割り振り情報などの、ＭＣＣＨを獲得するための情報、および（３）ＭＣＣＨ変更通知構成を示しうる。ＭＢＳＦＮエリアごとに１つのＭＢＳＦＮエリア構成メッセージが存在する。ＭＢＳＦＮエリア構成メッセージは、（１）ＰＭＣＨ内の論理チャネル識別子によって識別される各ＭＴＣＨの一時的モバイルグループアイデンティティ（ＴＭＧＩ）およびオプションのセッション識別子、（２）ＭＢＳＦＮエリアの各ＰＭＣＨを送信するための割り振られたリソース（すなわち、無線フレームおよびサブフレーム）およびこのエリアにおけるすべてのＰＭＣＨのための割り振られたリソースの割り振り期間（例えば、４、８、…、２５６フレーム）、および（３）ＭＳＩ ＭＡＣ制御要素が送信されるＭＣＨスケジューリング期間（ＭＳＰ）（例えば、８、１６、３２、…、または１０２４無線フレーム）を示しうる。
【００３７】
[0049]図７Ｂは、ＭＳＩ ＭＡＣ制御要素のフォーマットを例示する図７９０である。ＭＳＩ ＭＡＣ制御要素は、１ＭＳＰごとに１回送られうる。ＭＳＩ ＭＡＣ制御要素は、ＰＭＣＨの各スケジューリング期間の第１のサブフレームにおいて送られうる。ＭＳＩ ＭＡＣ制御要素は、ＰＭＣＨ内の各ＭＴＣＨの停止フレームおよびサブフレームを示しうる。ＭＢＳＦＮエリアごとのＰＭＣＨごとに１つのＭＳＩが存在しうる。
【００３８】
[0050]異なる変調オーダ（modulation orders）の場合、復調のための必要なチャネル推定品質は、異なりうる。さらに、異なる変調オーダの場合、パフォーマンスを最適化するための必要なデータ対基準信号電力比（the required data to reference signal power ratio）（トラフィック対パイロット（Ｔ２Ｐ）比とも呼ばれる）は、異なりうる。ＵＥがそのパフォーマンスを最適化することを可能にする方法の必要性がある。
【００３９】
[0051]図８は、例示的な方法を例示する図８００である。図８に例示されるように、ｅＮＢ ８０４は、ＵＥ ８０６にペイロード８１０を送る（ダウンリンク送信）。ＵＥ ８０６は、受信されたペイロード８１０の基準信号８０８に関連付けられる特性を識別する。基準信号８０８は、ＵＥ−ＲＳでありうる（図３のＵＥ−ＲＳ ３０４も参照）。受信されたペイロード８１０の基準信号８０８に関連付けられる特性は、基準信号８０８の基準信号構造および／またはＴ２Ｐ比を含みうる。加えて、ＵＥ ８０６は、識別された特性に基づいて、ペイロード８１０のペイロード構造を決定する８１２。その後、ＵＥ ８０６は、決定されたペイロード構造に基づいて、受信されたペイロード８１０を復号する。ｅＮＢ ８０４は、ペイロード８１０の基準信号８０８に関連付けられるある特定の特性を用いてペイロード８１０を組み立てることによって、ペイロード８１０のペイロード構造をＵＥ ８０６にシグナリングしうる。したがって、ｅＮＢ ８０４は、ペイロード８１０のペイロード構造をＵＥ ８０６に示すために、ペイロード８１０の基準信号構造またはＴ２Ｐ比を調整しうる。
【００４０】
[0052]ＵＥ ８０６は、基準信号８０８に関連付けられる可能な特性と、可能なペイロード構造との間のマッピングを示すマッピング情報８１６を受信しうる。ＵＥ ８０６は、ブロードキャストまたはＲＲＣシグナリングを通じて、ｅＮＢ ８０４からマッピング情報８１６を受信しうる。代替として、マッピング情報は、ＵＥ ８０６に前もってプログラムされうる。受信されたペイロード８１０の基準信号８０８に関連付けられる特性は、ペイロード８１０の基準信号構造および／またはペイロード８１０のＴ２Ｐを含みうる（ボックス８４０を参照）。基準信号構造は、ペイロード８１０内の基準信号８０８を搬送するリソース要素の数、ペイロード８１０内の基準信号８０８を搬送するリソース要素の位置、ペイロード８１０内の基準信号８０８において受信されるシーケンス（またはシグネチャ）、またはペイロード８１０内の同じプリコーディングを有するバンドルされたリソースブロックペアの数のうちの少なくとも１つを含みうる。ＵＥ ８０６は、基準信号８０８を搬送しうるリソース要素において受信された情報を、基準信号８０８内にあることが知られているシーケンスと比較することによって、ペイロード８１０内の基準信号８０８を搬送するリソース要素の数および／またはペイロード８１０内の基準信号８０８を搬送するリソース要素の位置を決定しうる。ペイロード構造は、ペイロード８１０に関連付けられる変調オーダ、ペイロード８１０に関連付けられるコーディングレート、ペイロード８１０がデータまたは制御情報を含むかどうか、ペイロード８１０を搬送する制御チャネルのタイプ、ペイロード８１０を搬送するデータチャネルのタイプ、ペイロード８１０が畳み込み符号化またはターボ符号化されたかどうか、ペイロード８１０のＴ２Ｐ比、ペイロード８１０の送信ランク（空間レイヤの数）、ペイロード８１０におけるコードワードの数、ペイロード８１０がユニキャストまたはマルチキャストであるかどうか、ペイロード８１０を送信するために使用される送信アンテナポートの数、ペイロード８１０におけるデータのために使用されるスクランブリングシーケンス、またはペイロード８１０における巡回冗長検査（ＣＲＣ）フィールドのために使用されるスクランブリングシーケンスのうちの少なくとも１つを含みうる（ボックス８５０を参照）。変調オーダおよびコーディングレートは、共にＭＣＳと呼ばれうる。
【００４１】
[0053]一例では、ＵＥ ８０６は、ペイロード８１０内の基準信号８０８を搬送するリソース要素の数を決定することによって、受信されたペイロード８１０の基準信号８０８に関連付けられる特性を識別することができ、ペイロード８１０内の基準信号８０８を搬送するリソース要素の決定された数に基づいて、ペイロード８１０に関連付けられる変調オーダまたはコーディングレートのうちの少なくとも１つ（または、共にＭＣＳ）を決定することによって、ペイロード構造を決定することができる。例えば、ＵＥ ８０６が物理リソースブロック（ＰＲＢ）ペアごとに１２個のＵＥ−ＲＳリソース要素が存在すると決定した場合、ＵＥ ８０６は、ペイロード８１０の変調オーダがＱＰＳＫ、１６−ＱＡＭ、または６４−ＱＡＭであることを決定することができ、一方で、ＵＥ ８０６がＰＲＢペアごとに１８個のＵＥ−ＲＳリソース要素が存在すると決定した場合、ＵＥ ８０６は、ペイロード８１０の変調オーダが２５６−ＱＡＭであることを決定することができる。
【００４２】
[0054]ＵＥ ８０６は、基準信号８０８を搬送することが知られているリソース要素の第１のセットおよびデータを搬送することが知られているリソース要素の第２のセットにおいて基準信号８０８を受信しうる。例えば、データを搬送することが知られているリソース要素８１４は、基準信号を搬送しうる。ＵＥ ８０６は、リソース要素８１４が基準信号８０８を搬送するであろうことを知るように、（例えば、ＲＲＣシグナリングを通じて）シグナリングされるまたは前もってプログラムされうる。したがって、ＵＥ ８０６は、ペイロード８１０内のリソース要素の第１および第２のセットにおいて受信される基準信号８０８に関連付けられる特性を識別し、その後、識別された特性に基づいてペイロード構造を決定するためにマッピング情報８１６を参照（consult）しうる。その後、ＵＥ ８０６は、決定されたペイロード構造に基づいて、受信されたペイロード８１０を復号しうる。
【００４３】
[0055]一例では、ＵＥ ８０６は、ペイロード８１０内の基準信号８０８を搬送するリソース要素の数を決定することができ、基準信号８０８を搬送するリソース要素の決定された数に基づいて、ペイロード８１０の送信ランクを決定することができる。したがって、ＵＥ ８０６は、ペイロード８１０内の基準信号８０８を搬送するリソース要素の決定された数に基づいて、ペイロード８１０に関連付けられる送信ランク（すなわち、空間レイヤの数）を決定することによって、ペイロード構造を決定しうる。例えば、ＵＥ ８０６が、ＵＥ−ＲＳを搬送する１２個のリソース要素が存在すると決定した場合、ＵＥ ８０６は、ペイロード８１０の送信ランクが２であることを決定しうる。しかしながら、ＵＥ ８０６が、ＵＥ−ＲＳを搬送する１８個のリソース要素が存在すると決定した場合、ＵＥ ８０６は、ペイロード８１０の送信ランクが２よりも大きいことを決定しうる。
【００４４】
[0056]一例では、ＵＥ ８０６は、ペイロード８１０のＴ２Ｐ比を決定し、その後、決定されたＴ２Ｐ比に基づいて、変調オーダ、コーディングレート、コードワードの数、またはペイロード８１０に関連付けられる送信ランク（すなわち、空間レイヤの数）のうちの少なくとも１つを決定する。したがって、ＵＥ ８０６は、ペイロード８１０のＴ２Ｐ比を決定することによって、受信されたペイロード８１０の基準信号８０８に関連付けられる特性を識別することができ、決定されたＴ２Ｐ比に基づいて、変調オーダ、コーディングレート、コードワードの数、またはペイロード８１０に関連付けられる送信ランク（すなわち、空間レイヤの数）のうちの少なくとも１つを決定することによって、ペイロード構造を決定することができる。例えば、ＵＥ ８０６がペイロード８１０のＴ２Ｐ比が０ｄＢであると決定した場合、ＵＥ ８０６は、ペイロード８１０の変調オーダがＱＰＳＫ、１６−ＱＡＭ、または６４−ＱＡＭであることを決定することができ、一方で、ＵＥ ８０６がペイロード８１０のＴ２Ｐ比が３ｄＢであると決定した場合、ＵＥ ８０６は、ペイロード８１０の変調オーダが２５６−ＱＡＭであることを決定することができる。
【００４５】
[0057]一例では、ＵＥ ８０６は、同じプリコーディングを有するバンドルされたＰＲＢペアの数を決定し、その後、同じプリコーディングを有するバンドルされたＰＲＢペアの数に基づいて、ペイロード８１０の変調オーダおよび／またはコーディングレート（または、共にＭＣＳ）を決定する。バンドルされたリソースブロックペアは、同じＯＦＤＭシンボルにおいて１２個のサブキャリアの複数のセットにまたがる複数の時間同時並行（time-concurrent）のリソースブロックペアを含む（図３を参照）。ｅＮＢが同じプリコーディングを有するリソースブロックペアをバンドルする場合、ＵＥ ８０６は、バンドルされたリソースブロックペアにおけるすべての基準信号８０８に基づいてチャネルを推定することによって、ｅＮＢ ８０４とＵＥ ８０６の間のチャネルのより良い推定値（estimate）を得ることができる。具体的には、ＵＥ ８０６は、同じプリコーディングを有するバンドルされたリソースブロックペアの数を決定することによって、受信されたペイロード８１０の基準信号８０８に関連付けられる特性を識別することができ、同じプリコーディングを有するバンドルされたリソースブロックペアの決定された数に基づいて、変調オーダまたはコーディングレートのうちの少なくとも１つを決定することによって、ペイロード構造を決定することができる。例えば、ＵＥ ８０６が、ｅＮＢ ８０４がペイロード８１０における同じプリコーディングを有する３つのＰＲＢペアをバンドルしたということを決定した場合、ＵＥ ８０６は、ペイロード８１０の変調オーダがＱＰＳＫ、１６−ＱＡＭ、または６４−ＱＡＭであることを決定することができ、一方で、ＵＥ ８０６が、ｅＮＢ ８０４がペイロード８１０における同じプリコーディングを有する６つのＰＲＢペアをバンドルしたということを決定した場合、ＵＥ ８０６は、ペイロード８１０の変調オーダが２５６−ＱＡＭであることを決定することができる。
【００４６】
[0058]一例では、ＵＥ ８０６は、ペイロード８１０の基準信号構造を決定し、決定された基準信号構造に基づいて変調オーダを決定する。その後、ＵＥ ８０６は、決定された変調オーダに基づいてＴ２Ｐ比を決定する。次いで、ＵＥ ８０６は、決定されたＴ２Ｐ比に基づいてチャネル状態情報（ＣＳＩ）を決定する。その後、ＵＥ ８０６は、サービングｅＮＢ ８０４にＣＳＩ報告において決定されたＣＳＩを送る。例えば、ＵＥ ８０６は、ペイロード８１０が特定の基準信号構造（ペイロード内の基準信号を搬送するリソース要素の数、ペイロード内の基準信号を搬送するリソース要素の位置、ペイロード内の基準信号において受信されるシーケンス、および／またはペイロード内の同じプリコーディングを有するバンドルされたリソースブロックペアの数のうちの１つまたは複数）を有することを決定しうる。決定された基準信号構造に基づいて、ＵＥ ８０６が、変調オーダが２５６−ＱＡＭであると決定した場合、ＵＥ ８０６は、ＣＳＩを決定するときに、ペイロード８１０のＴ２Ｐが３ｄＢであると仮定しうる。しかしながら、決定された基準信号構造に基づいて、ＵＥ ８０６が、変調オーダが２５６−ＱＡＭでない（例えば、ＱＰＳＫ、１６−ＱＡＭ、または６４−ＱＡＭ）と決定した場合、ＵＥ ８０６は、ＣＳＩを決定するときに、ペイロード８１０のＴ２Ｐが０ｄＢであると仮定しうる。
【００４７】
[0059]図９は、ワイヤレス通信の第１の方法のフローチャート９００である。この方法は、ＵＥ ８０６のような、ＵＥによって実行されうる。
【００４８】
[0060]ステップ９０２において、ＵＥは、基準信号に関連付けられる可能な特性と、可能なペイロード構造との間のマッピングを示すマッピング情報を決定する。ＵＥは、マッピング情報により前もってプログラムされることができ、または、ブロードキャストまたはＲＲＣシグナリングを通じてマッピング情報を受信することができる。
【００４９】
[0061]ステップ９０４において、ＵＥは、受信されたペイロードの基準信号に関連付けられる特性を識別する。これら特性は、ペイロードの基準信号構造および／またはペイロードのＴ２Ｐ比を含みうる。基準信号構造は、ペイロード内の基準信号を搬送するリソース要素の数、ペイロード内の基準信号を搬送するリソース要素の位置、ペイロード内の基準信号において受信されるシーケンス、またはペイロード内の同じプリコーディングを有するバンドルされたリソースブロックペアの数のうちの少なくとも１つを含みうる。
【００５０】
[0062]ステップ９０６において、ＵＥは、識別された特性に基づいてペイロード構造を決定する。ＵＥは、受信されたペイロードの基準信号に関連付けられる識別された特性から特定のペイロード構造へのマッピングを決定するためにマッピング情報を参照することによって、ペイロード構造を決定しうる。ペイロード構造は、ペイロードに関連付けられる変調オーダ、ペイロードに関連付けられるコーディングレート、ペイロードがデータまたは制御情報を含むかどうか、ペイロードを搬送する制御チャネルのタイプ、ペイロードを搬送するデータチャネルのタイプ、ペイロードが畳み込み符号化またはターボ符号化されたかどうか、ペイロードのＴ２Ｐ比、ペイロードの送信ランク、ペイロードにおけるコードワードの数、ペイロードがユニキャストまたはマルチキャストであるかどうか、ペイロードを送信するために使用される送信アンテナポートの数、ペイロードにおけるデータのために使用されるスクランブリングシーケンス、またはペイロードにおけるＣＲＣフィールドのために使用されるスクランブリングシーケンスのうちの少なくとも１つを含みうる。
【００５１】
[0063]ステップ９０８において、ＵＥは、決定されたペイロード構造に基づいて、受信されたペイロードを復号する。
【００５２】
[0064]一例では、ＵＥは、ペイロード内の基準信号を搬送するリソース要素の数を決定することによって、受信されたペイロードの基準信号に関連付けられる特性を識別することができ、また、ＵＥは、ペイロード内の基準信号を搬送するリソース要素の決定された数に基づいて、ペイロードに関連付けられる変調オーダまたはコーディングレートのうちの少なくとも１つを決定することによって、ペイロード構造を決定することができる。一例では、基準信号は、基準信号を搬送することが知られているリソース要素の第１のセットおよびデータを搬送することが知られているリソース要素の第２のセットにおいて受信されうる。一例では、ＵＥは、ペイロード内の基準信号を搬送するリソース要素の決定された数に基づいて、ペイロードに関連付けられる送信ランクを決定することによって、ペイロード構造を決定しうる。一例では、ＵＥは、ペイロードのＴ２Ｐ比を決定することによって、受信されたペイロードの基準信号に関連付けられる特性を識別することができ、また、ＵＥは、決定されたＴ２Ｐ比に基づいて、変調オーダ、コーディングレート、コードワードの数、またはペイロードに関連付けられる送信ランクのうちの少なくとも１つを決定することによって、ペイロード構造を決定することができる。一例では、ＵＥは、同じプリコーディングを有するバンドルされたリソースブロックペアの数を決定することによって、受信されたペイロードの基準信号に関連付けられる特性を識別することができ、また、ＵＥは、同じプリコーディングを有するバンドルされたリソースブロックペアの決定された数に基づいて、変調オーダまたはコーディングレートのうちの少なくとも１つを決定することによって、ペイロード構造を決定することができる。
【００５３】
[0065]図１０は、ワイヤレス通信の第２の方法のフローチャート１０００である。この方法は、ＵＥ ８０６のような、ＵＥによって実行されうる。
【００５４】
[0066]ステップ１００２において、ＵＥは、受信されたペイロードの基準信号に関連付けられる特性を識別する。具体的には、ＵＥは、受信されたペイロードの基準信号に関連付けられる基準信号構造を決定する。
【００５５】
[0067]ステップ１００４において、ＵＥは、識別された特性に基づいてペイロード構造を決定する。具体的には、ＵＥは、決定された基準信号構造に基づいて変調オーダを決定する。
【００５６】
[0068]ステップ１００６において、ＵＥは、決定されたペイロード構造に基づいて、受信されたペイロードを復号する。具体的には、ＵＥは、決定された変調オーダに基づいて、受信されたペイロードを復号する。
【００５７】
[0069]ステップ１００８において、ＵＥは、決定された変調オーダに基づいてＴ２Ｐ比を決定する。Ｔ２Ｐ比を決定するとき、ＵＥは、ＣＳＩを決定するときに、変調オーダに基づいて特定のＴ２Ｐ比を仮定しうる。例えば、ＵＥは、ペイロード８１０の変調オーダがＱＰＳＫ、１６−ＱＡＭ、または６４−ＱＡＭである場合、ペイロード８１０のＴ２Ｐ比は、ＣＳＩを決定するために０ｄＢであると仮定することができ、ペイロード８１０の変調オーダが２５６−ＱＡＭである場合、ペイロード８１０のＴ２Ｐ比は、３ｄＢであると仮定することができる。
【００５８】
[0070]ステップ１０１０において、ＵＥは、決定された／予期された／仮定されたＴ２Ｐ比に基づいてＣＳＩを決定する。
【００５９】
[0071]ステップ１０１２において、ＵＥは、サービングｅＮＢにＣＳＩ報告において決定されたＣＳＩを送る。
【００６０】
[0072]図１１は、例示的な装置１１０２における異なるモジュール／手段／コンポーネント間のデータフローを例示する概念的データフロー図１１００である。この装置は、ＵＥでありうる。この装置は、ｅＮＢ １１５０からペイロードを受信するように構成された受信モジュール１１０４を含む。受信モジュール１１０４は、基準信号特性識別モジュール１１０６と復号モジュール１１１０とに、受信されたペイロードを提供するように構成される。基準信号特性識別モジュール１１０６は、受信されたペイロードの基準信号に関連付けられる特性を識別するように構成される。基準信号特性識別モジュール１１０６は、ペイロード構造決定モジュール１１０８に、決定された基準信号特性を示す情報を提供するように構成される。ペイロード構造決定モジュール１１０８は、識別された特性に基づいてペイロード構造を決定するように構成される。ペイロード構造決定モジュール１１０８は、復号モジュール１１１０に、決定されたペイロード構造を示す情報を提供するように構成される。復号モジュール１１１０は、決定されたペイロード構造に基づいて、受信されたペイロードを復号するように構成される。
【００６１】
[0073]受信モジュール１１０４は、基準信号に関連付けられる可能な特性と、可能なペイロード構造との間のマッピングを示すマッピング情報を受信するように構成されうる。受信モジュール１１０４は、ペイロード構造決定モジュール１１０８にマッピング情報を提供するように構成されうる。ペイロード構造決定モジュール１１０８は、受信されたマッピング情報にさらに基づいて、ペイロード構造を決定するように構成されうる。マッピング情報は、前もってプログラムされる、またはブロードキャストまたはＲＲＣシグナリングを通じて、ｅＮＢ １１５０から受信されうる。
【００６２】
[0074]これら特性は、ペイロードの基準信号構造またはペイロードのＴ２Ｐ比のうちの少なくとも１つを含むことができ、基準信号構造は、ペイロード内の基準信号を搬送するリソース要素の数、ペイロード内の基準信号を搬送するリソース要素の位置、ペイロード内の基準信号において受信されるシーケンス、またはペイロード内の同じプリコーディングを有するバンドルされたリソースブロックペアの数のうちの少なくとも１つを含むことができる。ペイロード構造は、ペイロードに関連付けられる変調オーダ、ペイロードに関連付けられるコーディングレート、ペイロードがデータまたは制御情報を含むかどうか、ペイロードを搬送する制御チャネルのタイプ、ペイロードを搬送するデータチャネルのタイプ、ペイロードが畳み込み符号化またはターボ符号化されたかどうか、ペイロードのＴ２Ｐ比、ペイロードの送信ランク、ペイロードにおけるコードワードの数、ペイロードがユニキャストまたはマルチキャストであるかどうか、ペイロードを送信するために使用される送信アンテナポートの数、ペイロードにおけるデータのために使用されるスクランブリングシーケンス、またはペイロードにおけるＣＲＣフィールドのために使用されるスクランブリングシーケンスのうちの少なくとも１つを含みうる。
【００６３】
[0075]基準信号特性識別モジュール１１０６は、ペイロード内の基準信号を搬送するリソース要素の数を決定することによって、受信されたペイロードの基準信号に関連付けられる特性を識別するように構成されうる。ペイロード構造決定モジュール１１０８は、ペイロード内の基準信号を搬送するリソース要素の決定された数に基づいて、ペイロードに関連付けられる変調オーダまたはコーディングレートのうちの少なくとも１つを決定することによって、ペイロード構造を決定するように構成されうる。基準信号は、基準信号を搬送することが知られているリソース要素の第１のセットおよびデータを搬送することが知られているリソース要素の第２のセットにおいて受信されうる。ペイロード構造決定モジュール１１０８は、ペイロード内の基準信号を搬送するリソース要素の決定された数に基づいて、ペイロードに関連付けられる送信ランクを決定することによって、ペイロード構造を決定するように構成されうる。
【００６４】
[0076]基準信号特性識別モジュール１１０６は、ペイロードのＴ２Ｐ比を決定することによって、受信されたペイロードの基準信号に関連付けられる特性を識別するように構成されうる。ペイロード構造決定モジュール１１０８は、決定されたＴ２Ｐ比に基づいて、変調オーダ、コーディングレート、コードワードの数、またはペイロードに関連付けられる送信ランクのうちの少なくとも１つを決定することによって、ペイロード構造を決定するように構成されうる。
【００６５】
[0077]基準信号特性識別モジュール１１０６は、同じプリコーディングを有するバンドルされたリソースブロックペアの数を決定することによって、受信されたペイロードの基準信号に関連付けられる特性を識別するように構成されうる。ペイロード構造決定モジュール１１０８は、同じプリコーディングを有するバンドルされたリソースブロックペアの決定された数に基づいて、変調オーダまたはコーディングレートのうちの少なくとも１つを決定することによって、ペイロード構造を決定するように構成されうる。
【００６６】
[0078]一構成では、これら特性は、ペイロードの基準信号構造を含み、ペイロード構造決定モジュール１１０８は、変調オーダを決定することによってペイロード構造を決定するように構成される。このような構成では、この装置は、決定された変調オーダに基づいてＴ２Ｐ比を決定し、決定されたＴ２Ｐ比に基づいてＣＳＩを決定するように構成されたＣＳＩ決定モジュール１１１２をさらに含みうる。ＣＳＩ決定モジュール１１１２は、送信モジュール１１１４にＣＳＩ報告においてＣＳＩを提供するように構成されうる。送信モジュール１１１４は、サービングｅＮＢ １１５０に、決定されたＣＳＩを送るように構成されうる。
【００６７】
[0079]この装置は、図９、図１０の前述のフローチャートにおけるアルゴリズムのステップの各々を実行する追加のモジュールを含みうる。したがって、図９、図１０の前述のフローチャートにおける各ステップは、モジュールによって実行されることができ、この装置は、これらのモジュールのうちの１つまたは複数を含むことができる。これらモジュールは、述べられたプロセス／アルゴリズムを実施するように特に構成された１つまたは複数のハードウェアコンポーネントであるか、述べられたプロセス／アルゴリズムを実行するよう構成されたプロセッサによってインプリメントされるか、プロセッサによるインプリメンテーションのためにコンピュータ可読媒体内に記憶されるか、またはこれらの何らかの組み合わせでありうる。
【００６８】
[0080]図１２は、処理システム１２１４を用いる装置１１０２’のためのハードウェアインプリメンテーションの例を例示する図１２００である。処理システム１２１４は、概してバス１２２４によって表される、バスアーキテクチャを用いてインプリメントされうる。バス１２２４は、処理システム１２１４の特定のアプリケーションおよび全体的な設計制約に依存して、任意の数の相互接続バスおよびブリッジを含みうる。バス１２２４は、プロセッサ１２０４、モジュール１１０４、１１０６、１１０８、１１１０、１１１２、１１１４、およびコンピュータ可読媒体／メモリ１２０６によって表される、１つまたは複数のプロセッサおよび／またはハードウェアモジュールを含む様々な回路をともにリンクする。バス１２２４はまた、タイミングソース、周辺機器、電圧レギュレータ、および電力管理回路などの様々な他の回路をリンクすることができ、これらは、当該技術分野において周知であり、したがって、これ以上は説明されない。
【００６９】
[0081]処理システム１２１４は、トランシーバ１２１０に結合されうる。トランシーバ１２１０は、１つまたは複数のアンテナ１２２０に結合される。トランシーバ１２１０は、送信媒体を介して様々な他の装置と通信するための手段を提供する。トランシーバ１２１０は、１つまたは複数のアンテナ１２２０から信号を受信し、受信された信号から情報を抽出し、抽出された情報を処理システム１２１４に提供する。加えて、トランシーバ１２１０は、処理システム１２１４から情報を受信し、受信された情報に基づいて、１つまたは複数のアンテナ１２２０に適用される信号を生成する。処理システム１２１４は、コンピュータ可読媒体／メモリ１２０６に結合されたプロセッサ１２０４を含む。プロセッサ１２０４は、コンピュータ可読媒体／メモリ１２０６に記憶されたソフトウェアの実行を含む、一般的な処理を担う。このソフトウェアは、プロセッサ１２０４によって実行されるとき、処理システム１２１４に、任意の特定の装置に関して上記に説明された様々な機能を実行させる。コンピュータ可読媒体／メモリ１２０６はまた、ソフトウェアを実行するとき、プロセッサ１２０４によって操作されるデータを記憶するために使用されうる。処理システムは、モジュール１１０４、１１０６、１１０８、１１１０、１１１２、１１１４のうちの少なくとも１つをさらに含む。これらモジュールは、プロセッサ１２０４において実行中の、コンピュータ可読媒体／メモリ１２０６中に存在する／記憶されたソフトウェアモジュール、プロセッサ１２０４に結合された１つまたは複数のハードウェアモジュール、またはこれらの何らかの組み合わせでありうる。処理システム１２１４は、ＵＥ ６５０のコンポーネントであることができ、メモリ６６０および／またはＴＸプロセッサ６６８、ＲＸプロセッサ６５６、およびコントローラ／プロセッサ６５９のうちの少なくとも１つを含むことができる。
【００７０】
[0082]一構成では、ワイヤレス通信のための装置１１０２／１１０２’は、受信されたペイロードの基準信号に関連付けられる特性を識別するための手段と、識別された特性に基づいてペイロード構造を決定するための手段と、決定されたペイロード構造に基づいて、受信されたペイロードを復号するための手段とを含む。この装置は、基準信号に関連付けられる可能な特性と、可能なペイロード構造との間のマッピングを示すマッピング情報を受信するための手段をさらに含みうる。ペイロード構造は、受信されたマッピング情報にさらに基づいて決定されうる。受信されたペイロードの基準信号に関連付けられる特性を識別するための手段は、ペイロード内の基準信号を搬送するリソース要素の数を決定するように構成されることができ、ペイロード構造を決定するための手段は、ペイロード内の基準信号を搬送するリソース要素の決定された数に基づいて、ペイロードに関連付けられる変調オーダまたはコーディングレートのうちの少なくとも１つを決定するように構成されることができる。ペイロード構造を決定するための手段は、ペイロード内の基準信号を搬送するリソース要素の決定された数に基づいて、ペイロードに関連付けられる送信ランクを決定するように構成されうる。受信されたペイロードの基準信号に関連付けられる特性を識別するための手段は、ペイロードのＴ２Ｐ比を決定するように構成されることができ、ペイロード構造を決定するための手段は、決定されたＴ２Ｐ比に基づいて、変調オーダ、コーディングレート、コードワードの数、またはペイロードに関連付けられる送信ランクのうちの少なくとも１つを決定するように構成されることができる。受信されたペイロードの基準信号に関連付けられる特性を識別するための手段は、同じプリコーディングを有するバンドルされたリソースブロックペアの数を決定するように構成されることができ、ペイロード構造を決定するための手段は、同じプリコーディングを有するバンドルされたリソースブロックペアの決定された数に基づいて、変調オーダまたはコーディングレートのうちの少なくとも１つを決定するように構成されることができる。これら特性は、ペイロードの基準信号構造を含むことができ、ペイロード構造を決定するための手段は、変調オーダを決定するように構成されることができる。この装置は、決定された変調オーダに基づいてＴ２Ｐ比を決定するための手段と、決定されたＴ２Ｐ比に基づいてＣＳＩを決定するための手段と、サービングｅＮＢに、決定されたＣＳＩを送るための手段とをさらに含みうる。前述の手段は、前述の手段によって記載された機能を実行するように構成された装置１１０２’の処理システム１２１４および／または装置１１０２の前述のモジュールのうちの１つまたは複数でありうる。上記に説明されたように、処理システム１２１４は、ＴＸプロセッサ６６８、ＲＸプロセッサ６５６、およびコントローラ／プロセッサ６５９を含みうる。したがって、一構成では、前述の手段は、前述の手段によって記載された機能を実行するよう構成されたＴＸプロセッサ６６８、ＲＸプロセッサ６５６、およびコントローラ／プロセッサ６５９でありうる。
【００７１】
[0083] 開示されたプロセス／フローチャートにおけるステップの特定の順序または階層は、例示的なアプローチの例示であることが理解される。設計の選択に基づいて、これらプロセス／フローチャートにおけるステップの特定の順序または階層は、再構成されうることが理解される。さらに、いくつかのステップは、組み合わされうるか、または省略されうる。添付の方法の請求項は、様々なステップの要素をサンプルの順序で示したものであり、示された特定の順序または階層に限定されるようには意図されない。
【００７２】
[0084]先の説明は、いかなる当業者であっても、ここに説明された様々な態様を実現することを可能にするように提供される。これらの態様への様々な修正は、当業者にとって容易に明らかとなり、ここに定義された一般的な原理は、他の態様に適用されうる。したがって、特許請求の範囲は、ここに示された態様に限定されることを意図するものではなく、特許請求の範囲における文言と一致する全範囲を付与されるべきものであり、単数形での要素への言及は、そうであるとの明確な記載がない限り、「１つ、および１つのみ」を意味することは意図せず、「１つまたは複数」を意味するものとする。「例示的（exemplary）」という用語は、ここで「例、実例、または例示を提供する」という意味で用いられる。「例示的」なものとしてここに説明される任意の態様は、必ずしも、他の態様よりも好ましいまたは有利であるようには解釈されるべきでない。別段に明記されていない限り、「いくつかの」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含むことができる。特に、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであることができ、ここで、任意のこのような組み合わせは、Ａ、Ｂ、またはＣの１つまたは複数のメンバーを含むことができる。当業者に知られている、あるいは後に知られることになる本開示全体にわたって説明された様々な態様の要素に対するすべての構造的および機能的な同等物は、参照によってここに明確に組み込まれ、特許請求の範囲に包含されるように意図される。さらに、ここに開示されたものは何れも、このような開示が特許請求の範囲において明記されているかどうかにかかわらず、公衆に放棄されるようには意図されていない。要素が「〜のための手段」という表現を使用して明記されていない限り、どの請求項の要素もミーンズプラスファンクションとして解釈されるべきではない。
【図１】
2016510539.tif 000003
【図２】
2016510539.tif 000004
【図３】
2016510539.tif 000005
【図４】
2016510539.tif 000006
【図５】
2016510539.tif 000007
【図６】
2016510539.tif 000008
【図７Ｂ】
2016510539.tif 000009
【図８】
2016510539.tif 000010
【図９】
2016510539.tif 000011
【図１０】
2016510539.tif 000012
【図１１】
2016510539.tif 000013
【図１２】
2016510539.tif 000014
【図７Ａ】
2016510539.tif 000015
【国際調査報告】
2016510539.tif 000016
2016510539.tif 000017
2016510539.tif 000018